(57)【要約】【課題】ターボディーゼルエンジンのターボラグ現象による加速遅延、燃料消費の増加、スモークの発生などの問題を改善することができる、燃料噴射時期の制御方法及び制御システムを提供する。【解決手段】本発明の実施例による燃料噴射時期の制御方法およびシステムは、基本燃料噴射時期を決定する段階；  現在のエンジン作動条件に基づいて基準ブースト圧力を算出する段階；  前記算出された基準ブースト圧力と現在のブースト圧力との差に基づいて燃料噴射時期の補正値を算出する段階；  及び前記燃料噴射時期の補正値を利用して前記基本燃料噴射時期を補正して最終燃料噴射時期を算出する段階；を含むことを特徴とする。【選択図】図１
2005140109.tif 000002
【特許請求の範囲】
【請求項１】
基本燃料噴射時期を決定する段階；
現在のエンジン作動条件に基づいて基準ブースト圧力を算出する段階；
前記算出された基準ブースト圧力と現在のブースト圧力との差に基づいて燃料噴射時期の補正値を算出する段階；
及び、前記燃料噴射時期の補正値を利用して前記基本燃料噴射時期を補正して最終燃料噴射時期を算出する段階；
を含むことを特徴とする燃料噴射時期の制御方法。
【請求項２】
前記基準ブースト圧力を算出する段階は、
前記現在のエンジン作動条件に基づいて基本基準ブースト圧力を算出する段階；
及び、一つ以上の補正パラメターに基づいて前記基本基準ブースト圧力を補正して前記基準ブースト圧力を算出する段階；
を含むことを特徴とする請求項１に記載の燃料噴射時期の制御方法。
【請求項３】
前記基本基準ブースト圧力を補正して前記基準ブースト圧力を算出する段階は、
前記一つ以上の補正パラメターに基づいて基本基準ブースト圧力の補正ファクターを算出する段階；
及び、前記基本基準ブースト圧力の補正ファクターを利用して前記基本基準ブースト圧力を補正して前記基準ブースト圧力を算出する段階；
を含むことを特徴とする請求項２に記載の燃料噴射時期の制御方法。
【請求項４】
前記基本基準ブースト圧力は、前記現在のエンジン作動条件及び設定されたエンジン作動条件に対して設定された基本基準ブースト圧力値を有する基本基準ブースト圧力テーブルに基づいて算出されることを特徴とする、請求項３に記載の燃料噴射時期の制御方法。
【請求項５】
前記現在のエンジン作動条件は、現在のエンジン回転数及び現在の燃料噴射量を含むことを特徴とする、請求項４に記載の燃料噴射時期の制御方法。
【請求項６】
前記基本基準ブースト圧力の補正ファクターは、前記一つ以上の補正パラメター及び設定されたパラメターに対して設定された基本基準ブースト圧力の補正ファクター値を有する基本基準ブースト圧力の補正ファクターテーブルに基づいて算出されることを特徴とする、請求項３に記載の燃料噴射時期の制御方法。
【請求項７】
前記補正パラメターは、大気圧力及び吸入空気温度を含むことを特徴とする、請求項６に記載の燃料噴射時期の制御方法。
【請求項８】
前記基準ブースト圧力は、前記基本基準ブースト圧力と前記基本基準ブースト圧力の補正ファクターとの積によって算出されることを特徴とする、請求項３に記載の燃料噴射時期の制御方法。
【請求項９】
前記燃料噴射時期の補正値は、前記基準ブースト圧力と前記現在のブースト圧力との差が大きいほど、燃料噴射時期をさらに進角させる値に設定されることを特徴とする、請求項１に記載の燃料噴射時期の制御方法。
【請求項１０】
前記基本燃料噴射時期は、エンジン回転数及び燃料噴射量に基づいて設定されることを特徴とする、請求項１に記載の燃料噴射時期の制御方法。
【請求項１１】
エンジン作動条件を検出する少なくとも一つのエンジン作動条件センサ；
ブースト圧力を検出するブースト圧力センサ；
燃焼室に燃料を噴射する燃料インジェクタ；
前記エンジン作動条件及び前記ブースト圧力に基づいて前記燃料インジェクタの燃料噴射時期を制御する制御ユニット；を含み、
前記制御ユニットは、
基本燃料噴射時期を決定する段階；
現在のエンジン作動条件に基づいて基準ブースト圧力を算出する段階；
前記算出された基準ブースト圧力と現在のブースト圧力との差に基づいて燃料噴射時期の補正値を算出する段階；
及び、前記燃料噴射時期の補正値を利用して前記基本燃料噴射時期を補正して最終燃料噴射時期を算出する段階；
を行うようにプログラムされることを特徴とする、燃料噴射時期の制御システム。
【請求項１２】
前記基準ブースト圧力を算出する段階は、
前記現在のエンジン作動条件に基づいて基本基準ブースト圧力を算出する段階；
及び、一つ以上の補正パラメターに基づいて前記基本基準ブースト圧力を補正して前記基準ブースト圧力を算出する段階；
を含むことを特徴とする請求項１１に記載の燃料噴射時期の制御システム。
【請求項１３】
前記基本基準ブースト圧力を補正して前記基準ブースト圧力を算出する段階は、
前記一つ以上の補正パラメターに基づいて基本基準ブースト圧力の補正ファクターを算出する段階；
及び、前記基本基準ブースト圧力の補正ファクターを利用して前記基本基準ブースト圧力を補正して前記基準ブースト圧力を算出する段階；
を含むことを特徴とする請求項１２に記載の燃料噴射時期の制御システム。
【請求項１４】
前記基本基準ブースト圧力は、前記現在のエンジン作動条件及び設定されたエンジン作動条件に対して設定された基本基準ブースト圧力値を有する基本基準ブースト圧力テーブルに基づいて算出されることを特徴とする、請求項１３に記載の燃料噴射時期の制御システム。
【請求項１５】
前記エンジン作動条件センサは、エンジン回転数を検出するエンジン回転数センサを含み、
前記現在のエンジン作動条件は、現在のエンジン回転数及び現在の燃料噴射量を含むことを特徴とする、請求項１４に記載の燃料噴射時期の制御システム。
【請求項１６】
前記基本基準ブースト圧力の補正ファクターは、前記一つ以上の補正パラメター及び設定されたパラメターに対して設定された基本基準ブースト圧力の補正ファクター値を有する基本基準ブースト圧力の補正ファクターテーブルに基づいて算出されることを特徴とする、請求項１３に記載の燃料噴射時期の制御システム。
【請求項１７】
前記エンジン作動条件センサは、大気圧力を検出する大気圧力センサ及び吸入空気温度を検出する吸入空気温度センサを含み、
前記補正パラメターは、大気圧力及び吸入空気温度を含むことを特徴とする、請求項１６に記載の燃料噴射時期の制御システム。
【請求項１８】
前記基準ブースト圧力は、前記基本基準ブースト圧力と前記基本基準ブースト圧力の補正ファクターとの積によって算出されることを特徴とする、請求項１３に記載の燃料噴射時期の制御システム。
【請求項１９】
前記燃料噴射時期の補正値は、前記基準ブースト圧力と前記現在のブースト圧力との差が大きいほど、燃料噴射時期をさらに進角させる値に設定されることを特徴とする、請求項１１に記載の燃料噴射時期の制御システム。
【請求項２０】
前記基本燃料噴射時期は、エンジン回転数及び燃料噴射量に基づいて設定されることを特徴とする、請求項１１に記載の燃料噴射時期の制御システム。
【発明の詳細な説明】
【技術分野】
【０００１】
本発明はディーゼルエンジンの燃料噴射制御に関し、より詳しくは、ブースト圧力を利用して燃料噴射時期を制御する方法及びシステムに関する。
【背景技術】
【０００２】
最近、開発されているディーゼルエンジンは、排ガスを低減するために、ターボインタークーラー方式の吸気システムを備えている。このようなディーゼルエンジンを、一般にターボディーゼルエンジンという。
周知のように、ターボディーゼルエンジンは、排ガスのエネルギーを利用して吸入空気を圧縮するターボチャージャと、ターボチャージャによって圧縮された吸入空気を冷却するためのインタークーラーとを含む。
【０００３】
このようなターボディーゼルエンジンは、圧縮された空気を燃焼室に供給するため、より多くの酸素が燃焼室に供給される。したがって、燃焼特性が改善され、シリンダへの空気吸入時に発生するポンピング損失が低減されて、燃費も改善される。
【０００４】
このようなターボディーゼルエンジンでは、ブースト圧力によって燃料噴射を制御する。ブースト圧力は、ターボチャージャの下流側にある空気吸入パイプ内の吸入空気圧力を意味する。
【０００５】
運転者がエンジン作動中に加速ペダルを踏めば、エンジン制御ユニットによって算出される要求燃料量は、加速ペダルの踏まれた程度（加速ペダル値）に応じて増加する。
この時、増加した要求燃料量が吸入空気圧力によって予め設定されたスモーク限界燃料量より小さい場合には、算出された要求燃料量によって燃料噴射が制御される。また、増加した要求燃料量が予め設定されたスモーク限界燃料量より大きい場合には、吸入空気圧力によって予め設定されたスモーク限界燃料量によって燃料噴射が制御される。ここで、スモーク限界燃料量とは、吸入空気量の供給不足によって発生する不完全燃焼を防止するために、吸入空気圧力によって設定された最大燃料量を意味する。
このような燃料噴射制御によれば、加速ペダル値の増加に応じて要求燃料量が増加する場合にも、現在形成されている吸入空気圧力が十分に高くない場合には、スモーク限界燃料量によって燃料が噴射される。
この時、燃料噴射時期は吸入空気圧力に関係なく、エンジン回転数によって設定された値に維持される。
【０００６】
車両の加速のために加速ペダルを急激に踏む場合には、要求燃料量がスモーク限界燃料量より大きくなる場合が頻繁に発生する。この時、実際の燃料量がスモーク限界燃料量に限定されるため、燃料量の増加による排ガスのエネルギーの増加が遅延される。その結果、ターボチャージャの回転数の増加も遅延し、吸入空気圧力が要求燃料量に該当する値に上昇するまで一定の時間遅延が発生する。吸入空気圧力の増加の遅延は、結局、エンジントルクの増加の遅延に結びつく。一般に、このような現象は、ターボラグと呼ばれる。
【０００７】
一般的なＴＣＩ（Ｔｒａｎｓｉｓｔｏｒ  Ｃｏｎｔｒｏｌｌｅｄ  Ｉｇｎｉｔｉｏｎ）ディーゼルエンジンの場合、ターボラグが動力性能に及ぼす影響は非常に大きく、ターボラグが大きいエンジンであるほど加速性能が低下し、加速時の燃料消費量が増加する問題がある。
また、加速性能を向上するために、スモーク限界燃料量を高く設定する場合には、不完全燃焼によってスモーク量が急激に増加する問題もある。
【特許文献１】特開２００２−０２１６１３号公報
【発明の開示】
【発明が解決しようとする課題】
【０００８】
本発明は前記のような問題を解決するために創出されたものであって、本発明の目的は、ターボディーゼルエンジンのターボラグ現象による加速遅延、燃料消費の増加、スモークの発生などの問題を改善することができる、燃料噴射時期の制御システム及び制御方法を提供することにある。
【課題を解決するための手段】
【０００９】
前記目的を達成するための本発明の実施例による燃料噴射時期の制御方法は、基本燃料噴射時期を決定する段階；
現在のエンジン作動条件に基づいて基準ブースト圧力を算出する段階；
前記算出された基準ブースト圧力と現在のブースト圧力との差に基づいて燃料噴射時期の補正値を算出する段階；
及び前記燃料噴射時期の補正値を利用して前記基本燃料噴射時期を補正して最終燃料噴射時期を算出する段階；
を含むのが好ましい。
【００１０】
前記基準ブースト圧力を算出する段階は、前記現在のエンジン作動条件に基づいて基本基準ブースト圧力を算出する段階；
及び、一つ以上の補正パラメターに基づいて前記基本基準ブースト圧力を補正して前記基準ブースト圧力を算出する段階；
を含むのが好ましい。
【００１１】
前記基本基準ブースト圧力を補正して前記基準ブースト圧力を算出する段階は、前記一つ以上の補正パラメターに基づいて基本基準ブースト圧力の補正ファクターを算出する段階；
及び、前記基本基準ブースト圧力の補正ファクターを利用して前記基本基準ブースト圧力を補正して前記基準ブースト圧力を算出する段階；
を含むのが好ましい。
【００１２】
前記基本基準ブースト圧力は、前記現在のエンジン作動条件及び設定されたエンジン作動条件に対して設定された基本基準ブースト圧力値を有する基本基準ブースト圧力テーブルに基づいて算出するのが好ましい。
【００１３】
前記現在のエンジン作動条件は、現在のエンジン回転数及び現在の燃料噴射量を含むのが好ましい。
【００１４】
前記基本基準ブースト圧力の補正ファクターは、前記一つ以上の補正パラメター及び設定されたパラメターに対して設定された基本基準ブースト圧力の補正ファクター値を有する基本基準ブースト圧力の補正ファクターテーブルに基づいて算出するのが好ましい。
【００１５】
前記補正パラメターは、大気圧力及び吸入空気温度を含むのが好ましい。
前記基準ブースト圧力は、前記基本基準ブースト圧力と前記基本基準ブースト圧力の補正ファクターとの積によって算出するのが好ましい。
前記燃料噴射時期の補正値は、前記基準ブースト圧力と前記現在のブースト圧力との差が大きいほど、燃料噴射時期をさらに進角させる値に設定するのが好ましい。
【００１６】
前記基本燃料噴射時期は、エンジン回転数及び燃料噴射量に基づいて設定するのが好ましい。
【００１７】
本発明の実施例によるディーゼルエンジンの燃料噴射時期の制御システムは、エンジン作動条件を検出する少なくとも一つのエンジン作動条件センサ；
ブースト圧力を検出するブースト圧力センサ；
燃焼室に燃料を噴射する燃料インジェクタ；
及び前記エンジン作動条件及び前記ブースト圧力に基づいて前記燃料インジェクタの燃料噴射時期を制御する制御ユニット；を含み、
前記制御ユニットは、前記燃料噴射時期の制御方法のうちのいずれか一つを行うようにプログラムするのが好ましい。
【発明の効果】
【００１８】
本発明によれば、基準ブースト圧力と現在のブースト圧力との差に基づいて燃料噴射時期を制御することにより、ディーゼルエンジンでのターボラグによる加速性能の低下、燃料消費量の増加などの問題を解決することができる。
【発明を実施するための最良の形態】
【００１９】
以下、本発明の好ましい実施例を、添付した図面を参照して説明する。
図１に示されているように、本発明の実施例による燃料噴射時期の制御システム１０は、燃料インジェクタ１１と、燃料インジェクタ１１の燃料噴射時期を制御する制御ユニット１３とを含む。
【００２０】
燃料インジェクタ１１は、燃焼室１５に燃料を噴射する装置であり、制御ユニット１３の制御信号によって、その燃料噴射量及び燃料噴射時期を制御する。
【００２１】
燃焼室１５は、シリンダブロック１７及びピストン１９によって形成される空間で、燃焼室１５で燃料の燃焼が行われる。
【００２２】
吸気マニホールド２１を通じて燃焼室１５に吸気が流入し、排気マニホールド２３を通じて燃焼室１５で発生した排ガスが排出される。
そして、排ガスのエネルギーを利用して吸気を圧縮するためのターボチャージャ２５が備えられる。
【００２３】
ターボチャージャ２５は、排気マニホールド２３に連結されるタービン２７と、吸気マニホールド２１に連結されるコンプレッサー２９と、タービン２７とコンプレッサー２９とを連結する連結軸３１とを含む。タービン２７は、排気マニホールド２３を通過する排ガスのエネルギーによって駆動され、コンプレッサー２９は、タービン２７と一体になって回転する。そして、コンプレッサー２９の回転によって、吸入空気が圧縮される。
【００２４】
また、ターボチャージャ２５の下流側の吸気マニホールド２１には、ターボチャージャ２５によって圧縮された空気を冷却するためのインタークーラー３３が備えられる。
【００２５】
インタークーラー３３の下流側の吸気マニホールド２１には、ブースト圧力センサ３５が備えられる。ブースト圧力センサ３５は、燃焼室１５に流入する吸入空気圧力（つまりブースト圧力）を検出し、検出されたブースト圧力に該当するブースト圧力信号を制御ユニット１３に出力する。
【００２６】
また、本発明の実施例による燃料噴射時期の制御システム１０は、エンジン回転数（回転速度）を検出して該当するエンジン回転数信号を制御ユニット１３に出力するエンジン回転数センサ３７と、大気圧力を検出して該当する大気圧力信号を制御ユニット１３に出力する大気圧力センサ３９と、吸入空気温度を検出して該当する吸入空気温度信号を制御ユニット１３に出力する吸入空気温度センサ４１とを含む。
【００２７】
制御ユニット１３は、マイクロプロセッサー、メモリ、及び関連ハードウェアとソフトウェアを含み、以下で説明する本発明の実施例による燃料噴射時期の制御方法を行うようにプログラムされる。
【００２８】
制御ユニット１３は、一つ以上のエンジン作動条件に基づいて基本燃料噴射時期を決定し、現在のブースト圧力及び基準ブースト圧力に基づいて基本燃料噴射時期を補正して最終燃料噴射時期を決定する。
【００２９】
制御ユニット１３は、エンジン作動条件及び設定されたパラメターに基づいて基準ブースト圧力を決定し、基準ブースト圧力と現在のブースト圧力との差を算出し、算出された差に基づいて基本燃料噴射時期を補正する。
【００３０】
以下、図２を参照して、本発明の実施例による燃料噴射時期の制御方法について説明する。
【００３１】
本発明の実施例による燃料噴射時期の制御方法は、基本燃料噴射時期を決定する段階（Ｓ２１０）と、現在のエンジン作動条件に基づいて基準ブースト圧力を算出する段階（Ｓ２２０）と、基準ブースト圧力と現在のブースト圧力との差に基づいて燃料噴射時期の補正値を算出する段階（Ｓ２３０）と、燃料噴射時期の補正値を利用して基本燃料噴射時期を補正して最終燃料噴射時期を算出する段階（Ｓ２４０）とを含む。
【００３２】
まず、制御ユニット１３は、燃料噴射量及びエンジン回転数に基づいて基本燃料噴射時期を決定する（Ｓ２１０）。
【００３３】
例えば、制御ユニット１３は、燃料噴射量及びエンジン回転数によってマッピングされた基本燃料噴射時期値を有する基本燃料噴射時期テーブルから特定の燃料噴射量及び特定のエンジン回転数での基本燃料噴射時期を決定することができる。即ち、基本燃料噴射時期は、エンジン回転数（ｒｐｍ）及び燃料噴射量（ｍｇ）によって下記のように設定することができる。ここで、燃料噴射時期とは、ＴＤＣ（Ｔｏｐ  Ｄｅａｄ  Ｃｅｎｔｅｒ）からの進角の大きさである。表１はエンジン回転数が５００ｒｐｍ、８００ｒｐｍ、１２００ｒｐｍ、１６００ｒｐｍ、１８００ｒｐｍ、２２００ｒｐｍ、２５００ｒｐｍであり、燃料噴射量が５０ｍｇ、１００ｍｇ、１５０ｍｇ、２００ｍｇ、２５０ｍｇである場合に対する基本燃料噴射時期が設定されたテーブルである。基本燃料噴射時期は特定のエンジン回転数及び特定の燃料噴射量での最適な燃焼のための燃料噴射時期であり、このような基本燃料噴射時期テーブルは実験を通じて得ることができる。
【表１】
2005140109.tif 000003
【００３４】
一方、表１に示されていないエンジン回転数及び燃料噴射量に対する基本燃料噴射時期は、補間法を通じて算出することができる。
【００３５】
その後、制御ユニット１３は、基準ブースト圧力を算出する（Ｓ２２０）。基準ブースト圧力とは、特定のエンジンが特定のエンジン回転数及び特定の燃料噴射量によって駆動される場合の正常な状態（ブースト圧力が変動する過度状態が終了した状態）でのブースト圧力を意味する。
【００３６】
制御ユニット１３は、現在のエンジン作動条件（例えば、燃料噴射量及びエンジン回転数）に基づいて基本基準ブースト圧力を決定する（Ｓ２２１）。
【００３７】
基本基準ブースト圧力は、現在の燃料噴射量及び現在のエンジン回転数に基づいて予め設定された基本基準ブースト圧力テーブルから算出するのが好ましい。
【００３８】
予め設定された基本基準ブースト圧力テーブルは、エンジン回転数及び燃料噴射量によってマッピングされた基本基準ブースト圧力値を含む。
【００３９】
基本基準ブースト圧力値は、特定の条件（大気圧力及び吸入空気温度）において実験を通じて決定することができる。つまり、特定のエンジンが特定の燃料噴射量及び特定のエンジン回転数で駆動される場合の正常な状態で測定されたブースト圧力を利用して基本基準ブースト圧力テーブルを得ることができる。
【００４０】
下記の表２には、実験を通じて得られた基本基準ブースト圧力テーブルの一例が示されている。エンジン回転数が５００ｒｐｍ、８００ｒｐｍ、１２０ｒｐｍ、１６０ｒｐｍ、１８００ｒｐｍ、２２００ｒｐｍ、及び２５００ｒｐｍであり、燃料噴射量が５０ｍｇ、１００ｍｇ、１５０ｍｇ、２００ｍｇ、及び２５０ｍｇである場合に該当する基本基準ブースト圧力（ｋＰａ）が示されている。
【表２】
2005140109.tif 000004
【００４１】
制御ユニット１３は、  基本基準ブースト圧力テーブルのデータを利用して現在のエンジン回転数及び現在の燃料噴射量での基本基準ブースト圧力を算出することができる。
【００４２】
表２に示されていないエンジン回転数及び燃料噴射量に対する基本基準ブースト圧力は、補間法を通じて算出することができる。
【００４３】
その後、制御ユニット１３は、一つ以上の補正パラメターに基づいて基本基準ブースト圧力を補正する（Ｓ２２３）。
【００４４】
基本基準ブースト圧力を補正する段階（Ｓ２２３）は、基本基準ブースト圧力の補正ファクターを算出する段階（Ｓ２２５）と、基準ブースト圧力を算出する段階（Ｓ２２７）とを含む。
【００４５】
段階（Ｓ２２１）で算出された基本基準ブースト圧力は、特定の大気圧力及び特定の吸入空気温度で算出されたものであるため、現在の大気圧力及び現在の吸入空気温度によって算出された補正ファクターにより基本基準ブースト圧力を補正して基準ブースト圧力を算出するのである。
【００４６】
制御ユニット１３は、一つ以上の補正パラメターに基づいて基本基準ブースト圧力の補正ファクターを算出する（Ｓ２２５）。
【００４７】
補正パラメターは、大気圧力及び吸入空気温度を含むのが好ましい。
【００４８】
例えば、制御ユニット１３は、大気圧力及び吸入空気圧力によってマッピングされた補正ファクター値を有するテーブルから基本基準ブースト圧力の補正ファクターを算出することができる。下記の表３には、吸入空気温度が２６３Ｋ、２７３Ｋ、２８３Ｋ、２９３Ｋ、３０３Ｋ、３１３Ｋ、及び３２３Ｋであり、大気圧力が７５ｋＰａ、８０ｋＰａ、９０ｋＰａ、１００ｋＰａ、及び１０５ｋＰａである場合に対する基本基準ブースト圧力の補正ファクターが示されている。
【表３】
2005140109.tif 000005
【００４９】
表３に示されていない吸入空気温度及び大気圧力に対する補正ファクターは、補間法を通じて算出することができる。
【００５０】
その後、制御ユニット１３は、基本基準ブースト圧力の補正ファクターを利用して前記基本基準ブースト圧力を補正して基準ブースト圧力を算出する（Ｓ２２７）。
【００５１】
例えば、基準ブースト圧力は、基本基準ブースト圧力と基本基準ブースト圧力の補正ファクターとの積による値から算出することができる。
【００５２】
その後、制御ユニット１３は、基準ブースト圧力と現在のブースト圧力との差に基づいて燃料噴射時期の補正値を算出する（Ｓ２３０）。
【００５３】
例えば、燃料噴射時期の補正値は、基準ブースト圧力と現在のブースト圧力との差によって設定された燃料噴射時期の補正値を有するテーブルから算出することができる。下記の表４には、基準ブースト圧力と現在のブースト圧力との差が−３０ｋＰａ、−２０ｋＰａ、０ｋＰａ、２０ｋＰａ、５０ｋＰａ、１００ｋＰａ、１３０ｋＰａ、及び１５０ｋＰａである場合に対する燃料噴射時期の補正値（点火進角；ａｄｖａｎｃｅ  ａｎｇｌｅ）が示されている。
【表４】
2005140109.tif 000006
【００５４】
表４に示されていない基準ブースト圧力と現在のブースト圧力との差に対する燃料噴射時期の補正値は、補間法を通じて算出することができる。
【００５５】
表４に示されているように、燃料噴射時期の補正値は、基準ブースト圧力と現在のブースト圧力との差が大きいほど、燃料噴射時期をさらに進角させる値に設定するのが好ましい。
【００５６】
その後、制御ユニット１３は、燃料噴射時期の補正値を利用して基本燃料噴射機器を補正して最終燃料噴射時期を算出する（Ｓ２４０）。
【００５７】
例えば、最終燃料噴射時期は、基本燃料噴射時期と燃料噴射時期の補正値との合計から算出することができる。
【００５８】
上記に、本発明の好ましい実施例を説明したが、本発明の技術的思想の範囲で様々な形態の実施例を実現することができることはいうまでもない。
【図面の簡単な説明】
【００５９】
【図１】本発明の実施例による燃料噴射時期の制御システムを簡略に示すブロックダイアグラムである。
【図２】本発明の実施例による燃料噴射時期の制御方法を簡略に示すフローチャートである。
【符号の説明】
【００６０】
１０  燃料噴射時期の制御システム
１１  燃料インジェクタ
１３  制御ユニット
１５  燃焼室
１７  シリンダブロック
１９  ピストン
２１  吸気マニホールド
２３  排気マニホールド
２５  ターボチャージャ
２７  タービン
２９  コンプレッサー
３１  連結軸
３３  インタークーラー
３５  ブースト圧力センサ
３７  エンジン回転数センサ
３９  大気圧力センサ
４１  吸入空気温度センサ
【図１】
2005140109.tif 000007
【図２】
2005140109.tif 000008